(57)【特許請求の範囲】
【請求項１】
商品の商品情報を表示可能な１つの表示面を有する表示装置と、
前記表示装置が取り付けられる枠部を有し、起立して設けられる支持体と、
前記支持体に取り付けられ、前記表示面の前方を遮るようにして設置される当該商品を展示するための複数の棚と、
を具備することを特徴とする商品展示台。
【請求項２】
前記棚を上下方向に複数設置するための設置手段を更に備えていることを特徴とする請求項１に記載の商品展示台。
【請求項３】
前記棚は上下方向に移動可能であることを特徴とする請求項１、又は請求項２に記載の商品展示台。
【請求項４】
商品の商品情報を表示可能な１つの表示面を有する表示装置と、
前記表示装置を配置する枠部を有し、起立して設けられる支持体と、
前記支持体に取り付けられ、前記表示面の前方を遮るようにして設置される当該商品を展示するための複数の棚と、を具備する配置される商品展示台における商品表示システムにおいて、
前記棚の設置位置を検出する検出手段と、
前記検出手段による検出結果に基づいて、当該棚の設置位置に応じて前記表示装置によって表示される前記商品情報の表示領域を変更して当該商品情報を表示する商品情報表示手段と、
を備えていることを特徴とする商品表示システム。
【発明の詳細な説明】
【技術分野】
【０００１】
本発明は、商品を展示する商品展示台等に関する。
【背景技術】
【０００２】
小売店等における商品売場では、個々の商品の陳列に、陳列棚が広く用いられている（例えば、特許文献１参照）。この種の陳列棚は、一般的に、複数段の商品陳列棚を備えた多段式陳列棚が用いられている。このような陳列棚には、購買者の注目を集めるため、又は購買意欲の促進を図る目的で、商品に応じて当該商品の情報を表示するＰＯＰ広告が付けられて展示されている。
【先行技術文献】
【特許文献】
【０００３】
【特許文献１】特許第４０７０１８３号公報
【発明の概要】
【発明が解決しようとする課題】
【０００４】
上述した商品の展示手法では、単に商品を陳列棚に展示するよりも商品の広告効果を高めることができるものの、現在ではごく当たり前に行われる展示手法であるため、更なる集客力や購買意欲を促進させる商品の展示手法が求められている。
【０００５】
そこで、本発明は、上記問題点に鑑みてなされたものであり、その目的の一例は、商品の広告効果をより高めることが可能な商品展示台等を提供することである。
【課題を解決するための手段】
【０００６】
上記課題を解決するために、請求項１に記載の商品展示台（１）は、商品（２０等）の商品情報を表示可能なな１つの表示面（８ａ）を有する表示装置（８）と、前記表示装置が取り付けられる枠部を有し、起立して設けられる支持体（４）と、前記支持体に取り付けられ、前記表示面の前方を遮るようにして設置される当該商品を展示するための複数の棚（１０）と、を具備することを特徴とする。
【０００７】
また、請求項２に記載の商品展示台は、請求項１に記載の商品展示台において、前記棚を上下方向に複数設置するための設置手段（６ａ、１１）を更に備えていることを特徴とする。
【０００８】
また、請求項３に記載の商品展示台は、請求項１、又は請求項２に記載の商品展示台において、前記棚は上下方向に移動可能であることを特徴とする。
【０００９】
また、請求項４に記載の商品展示システムは、商品の商品情報を表示可能なな１つの表示面（８ａ）を有する表示装置（８）と、前記表示装置を配置する枠部を有し、起立して設けられる支持体（４）と、前記支持体に取り付けられ、前記表示面の前方を遮るようにして設置される当該商品を展示するための複数の棚（１０）と、を具備する商品展示台（１）における商品表示システム（Ｓ）において、前記棚の設置位置を検出する検出手段（５０）と、前記検出手段による検出結果に基づいて、当該棚の設置位置に応じて前記表示装置によって表示される前記商品情報の表示領域を変更して当該商品情報を表示する商品情報表示手段（６０）と、を備えていることを特徴とする。
【発明の効果】
【００１０】
本発明における商品展示台等によれば、視覚的に消費者を引き付けることが可能であって、従来の商品の展示手法と比較して、商品の広告効果を高めることが可能である。
【図面の簡単な説明】
【００１１】
【図１】商品展示台の使用例を示す斜視図である。
【図２】基台を示す図であって、図２（ａ）は正面図、図２（ｂ）は図２（ａ）のII−II断面図である。
【図３】棚の一例を示す図であって、図３（ａ）は斜視図、図３（ｂ）は左側面図である。
【図４】他の棚の一例を説明するための斜視図である。
【図５】他の棚の一例を説明するための断面図である。
【図６】商品展示システムの構成図である。
【図７】検出装置の一例を説明するための部分断面図である。
【発明を実施するための形態】
【００１２】
以下に、本願発明の最良の実施形態を添付図面に基づいて説明する。なお、以下の説明において、便宜上、図１の上下方向を商品展示台の上下方向とし、奥行き側又は手前側を商品展示台の前後方向とし、左右方向を商品展示台の左右方向として説明するものとする。
【００１３】
図１〜図５を用いて、本発明の商品展示台について詳述する。
【００１４】
本実施形態の商品展示台１は、自立式の基台２と、この基台２の前方上下方向に複数段配置される棚１０と、を備えている。各棚１０には、例えば、様々な種類の化粧品などの異なる商品２０、２１、２２が載置されて展示される。また、基台２は、例えば、金属性の角パイプや平板等を用いて形成され、当該棚１０は、例えば、ガラス、アクリル、PET板、ポリカーボネイト、塩ビ板・スチール板（有孔）、金網等の材料を用いて形成され、好ましくは、このような材料の中から選択された材料を用いて透過可能なように透明に形成される。
【００１５】
基台２は、平面視において略矩形状に形成されたベース体３と、このベース体３に起立して設けられ、前記棚１０を支持する棚支持体４と、を備えている。また、ベース体３の四隅下端部には、図２に示すように、例えば、ゴムなどの弾性体３ａが設けられ、床面との滑りが防止される。
【００１６】
棚支持体４（本願の支持体）は、上下方向に立設して設けられる左右一対の支柱６と、当該支柱６同士を連結する上下の連結杆７と、を備え、当該支柱６の下端は、前後方向に延びるベース体３の後方に固定される。
【００１７】
この支柱６と連結杆７によって囲まれる領域は、商品の情報を表示する商品情報表示領域として機能し、この商品情報表示領域には、図２に示すように、表示面８ａを前方に向けて表示装置８である薄型のモニターが固定して取り付けられる。そして、当該表示面８ａには商品説明用の映像や画像、商品情報や価格情報などの広告や宣伝に関する様々な情報（以下、「商品情報」と称する。）が表示される。
【００１８】
また、各支柱６の前面には、棚１０を着脱可能に取り付けるための係合孔６ａが上下方向に複数設けられており、図１に示すように、当該係合孔６ａを用いて当該棚１０が支柱６間に架け渡されるようにして棚支持体４に取り付けられ、前記表示装置８の前方に配置される。
【００１９】
図３に示すように、棚１０は、図１に示す商品２０、２１、２２等が載置される本体部１０ａを有しており、当該本体部１０ａは平面視において略矩形状に形成され、その左右寸法は、ベース体３の左右の寸法とほぼ等しく、かつ前後寸法は、ベース体３の前端部を越えない程度に形成される。
【００２０】
本体部１０ａの左右辺には、それぞれ下向きに折り曲げられた側片１０ｂ、１０ｂを有しており、その側片１０ｂの後端部には前記係合孔６ａに係合して係止可能な係止爪１１、１１が突設されている。
【００２１】
一方、本体部１０ａの後方辺には、剛性を高めるために下向きに折り曲げられた後片１０ｃを有し、他方、本体部１０ａの前方辺には、剛性を高めるために、斜め下方に折り曲げられた前片１０ｄを有している。
【００２２】
そして、当該係止爪１１が前記支柱６に形成された所定の係合孔６ａに係止されることで、棚１０を棚支持体４に設置可能であり、複数の係合孔６ａを用いることによって、棚１０を上方方向に複数段にわたって設置可能となっている。なお、当該係合孔６ａは、本願の設置手段として機能する。
【００２３】
また、係止爪１１を係合させる係合孔６ａを上下方向で変更することによって、棚１０の設置位置を自由に変更できる。
【００２４】
次に、棚１０の他の実施例について説明する。上述した棚１０は、商品が載置される形態を示すものであるが、本実施例の棚３０は、商品が吊り下げられて陳列される形態を示すものである。なお、棚３０に陳列される商品とは、例えば、紐状の吊り下げ部を備えるかばん等である。
【００２５】
図４及び図５に示すように、棚３０は、左右の支柱６に取り付けられ、支柱６間に架け渡されるようにして幅方向に延びるフック台３１と、このフック台３１に取り付けられ、商品を吊り下げるためのフック３６と、を備えている。
【００２６】
フック台３１は、断面が略角筒状の本体部３２と、この本体部３２の左右両端部に取り付けられ、前記支柱６の係合孔６ａと係合する係合片３３と、を備える。この係合片３３の後端部には、前記係合孔６ａに係止可能な２つの係止片３４、３４が上下方向に連続して設けられている。そして、この２つの係止片３４、３４は、支柱６に連続して形成された前記係合孔６ａに係止される。
【００２７】
また、フック３６は、前記本体部３２に上方から嵌合可能な略コ字状の嵌合体３７と、この嵌合体３７から前方斜め上方に延びる略棒状の支持体３８と、を備えている。この支持体３８は、前方部が更に上方に曲折して形成されており、商品は、この支持体３８によって吊り下げられて支持され展示される。
【００２８】
なお、この棚３０は、例えば、棚１０を構成する材料と同じ材料が用いられる。また、商品展示台１では、商品の種類によって、棚１０又は棚３０のどちらか一方、又は両方が適宜用いられる。
【００２９】
このように、本実施形態の商品展示台１は、表示装置８の前方に棚１０、３０を配置し、表示装置８によって商品情報を映像や画像で表示し、且つ、棚１０、３０に商品を展示することで、視覚的に顧客を引き付け、斬新的な商品の展示が可能となっており、従来の商品の展示手法と比較してより広告効果を高められるようになっている。また、棚１０、３０を上下方向に自由に移動可能であるとともに、複数段設置可能であるため、商品に応じて自由に棚の位置を調整可能である。
【００３０】
また、本実施形態の商品展示台１は、表示装置８に広告情報を表示するための商品展示システムＳを備えている。商品展示システムＳは、図６に示すように、表示装置８と、棚１０の設置位置を検出するための検出装置５０（本願の検出手段）と、記憶部５５と、各部を統括的に制御する制御部６０と、を備えている。記憶部５５には、例えば、商品情報のデータが記憶されている。
【００３１】
また、制御部６０は、例えば、ＣＰＵ（Central Processing Unit）、ＲＡＭ（Random Access Memory）、ＲＯＭ（Read Only Memory）等により構成され、例えば、ＣＰＵが、ＲＯＭなどに記憶された商品情報表示プログラム等の各種プログラムを読み出し実行することにより、当該記憶部５５に記憶されたデータを読み出して商品情報を表示装置８に表示させる。なお、当該商品情報表示プログラムとは、棚１０の設置位置に応じて表示装置８によって表示する商品情報をどのように表示するかを決定して表示制御するプログラムである。
【００３２】
また、検出装置５０は、棚１０の設置位置を検出するためのセンサであって、図７に示すように、所定の係合孔６ａに対応して、左右の支柱６の内部に設けられている。この検出装置５０は、例えば、ボタン５１がバネ５２を介して取り付けられ、当該ボタン５１を押下している時のみＯＮ操作されるセンサである。そして、係合孔６ａに棚１０の係合爪１１が挿入されることにより、その係合爪１１の後端が検出装置５０のボタン５１を押下するようになっている。なお、各検出装置５０のＯＮ・ＯＦＦ情報は、各検出装置５０を識別するための識別情報とともに制御部６０に送信される。
【００３３】
制御部６０は、各検出装置５０のＯＮ・ＯＦＦ情報及び識別情報を受信し、このＯＮ・ＯＦＦ情報に基づいて棚１０の設置位置を特定し、この棚１０の設置位置に応じて表示装置８により表示する商品情報の表示形態を決定する。具体的には、例えば、棚１０を３段に区分けして配置した場合には、表示装置８により表示される表示領域を前記棚１０の設置位置に応じて棚１０の設置位置を基準として上下方向に３つに区分けして、それぞれ区分けした領域に異なる各種商品２０、２１、２２の商品情報を表示する。なお、この制御部６０は、本願の商品情報表示手段として機能する。
【００３４】
なお、本実施形態では、商品の情報を記憶部５５に記憶して、制御部６０によりこの商品情報を読み出して表示装置８に表示するように構成されているが、図示しないが、記憶部５５の代わりに通信部を別途設けて、この通信部により外部から商品の情報を受信して、当該商品情報を表示装置８に表示するようにしても構わない。また、棚３０を用いる場合も上述した棚１０を用いた場合と同様に機能する。
【００３５】
次に、本実施形態の商品展示台及び商品展示システムの使用例について説明する。
【００３６】
まず、使用者は、商品の種類に応じて、単数、又は複数の棚１０を基台２の所定位置に設置する。この棚１０は、左右の係合爪１１を支柱６の係合孔６ａに係合することで表示装置８の前面に位置決めされる。なお、本実施形態では、例えば、図１に示すように、３段の棚１０を表示装置８の前面に配置する使用例について説明する。
【００３７】
まず、商品展示システムＳにおいて、制御部６０は、検出装置５０のボタンが係合爪１１により押下されたか否かを検出する。なお、検出装置５０は、係合爪１１によるボタンの押下によりその検出結果を識別情報とともに制御部６０に送信する。
【００３８】
制御部６０は、各検出装置５０による検出結果及び識別情報を受信し、この識別情報と検出結果に基づいて、棚１０の設置位置を特定し、商品情報の表示領域を棚１０の数に応じて区分けして、記憶部５５に記憶された各種広告情報のデータを読み出し、区分けされた３つの領域に各データを表示する。
【００３９】
一方、商品が吊り下げられて陳列される形態である場合には、棚１０の代わりに棚３０が用いられる。
【００４０】
以上に説明したように本実施形態の商品展示台１は、商品２０、２１、２２の商品情報を表示可能な表示装置８と、前記表示装置８の周囲に配置され、前記表示装置８を支持するための支柱６を含む棚支持体４と、当該商品２０、２１、２２を展示するための複数の棚１０、３０と、を具備し、支柱６には、各棚１０、３０を上下方向に複数設置したり、棚１０、３０を上下方向に移動するための複数の係合孔６ａが形成され、各棚１０、３０は前記係合孔６ａを介して前記支柱６に取り付けられ、前記表示装置８の前方に配置される。このような商品展示台によれば、商品情報が表示される表示装置８の前方に商品２０、２１、２２等が配置されるため、斬新な展示手法となり、視覚的に顧客を引き付けることが可能である。
【００４１】
また、本実施形態の商品展示システムＳは、商品２０、２１、２２の商品情報を表示可能な表示装置８と、前記表示装置８の周囲に配置され、前記表示装置８を支持するための支柱６を含む棚支持体４と、当該商品２０、２１、２２を展示するための棚１０、３０と、を具備し、前記棚１０は前記棚支持体４に取り付けられ、前記表示装置８の前方に配置される商品展示台１における商品表示システムＳにおいて、前記棚１０、３０の設置位置を検出する検出装置５０と、前記検出結果に基づいて、当該棚の設置位置に応じて前記表示装置によって表示される前記商品情報の表示領域を変更して当該商品情報を表示する制御部６０と、を備えている。このような商品展示システムＳによれば、棚１０、３０の設置位置に応じて、表示装置８により表示される商品情報の表示形態を自動的に切り替え可能であり、より商品２０、２１、２２の広告効果を高めることが可能である。
【００４２】
なお、以上説明した実施形態は特許請求の範囲にかかる発明を限定するものではない。そして、上記実施形態の中で説明されている構成の組み合わせのすべてが発明の課題解決に必須の手段であるとは限らない。
【００４３】
具体的には、本実施形態における商品展示台１の棚１０、３０は、自由に設置位置を変更可能となっているが、１つの位置に固定して取り付けるようにしても構わない。
【００４４】
また、本実施形態では、棚１０、３０の設置数に応じてその棚１０、３０の設置位置を境として商品情報の表示領域を区分けしているが、区分けせずにすべての商品に関連する情報を全画面に表示するようにしても構わない。
【００４５】
また、本実施形態では、支柱６に対する棚１０の設置手段として、係合孔６ａと係合爪１１又は係止片３４との係合によって行っているが、例えば、支柱６の側面にラックを形成し、棚１０、３０にピニオンを取り付けて、棚１０、３０の位置を自由にスライド可能に構成しても構わない。
【００４６】
また、棚１０、３０は商品情報を視認しやすいように、透明に形成しているが、あえて色彩を施しても構わない。
【符号の説明】
【００４７】
Ｓ        商品展示システム
１        商品展示台
６        支柱
８        表示装置
１０、３０  棚
５０        検出装置
６０        制御部
【図１】
0005919892.tif 000002
【図２】
0005919892.tif 000003
【図３】
0005919892.tif 000004
【図４】
0005919892.tif 000005
【図５】
0005919892.tif 000006
【図６】
0005919892.tif 000007
【図７】
0005919892.tif 000008